(57)【特許請求の範囲】
【請求項１】
表示装置が接続される表示端末と、前記表示装置に表示されるコンテンツを管理するコンテンツ管理サーバと、を備えたデジタルサイネージシステムであって、
前記コンテンツ管理サーバは、前記コンテンツとなるウェブページの指定された指定領域の位置及び大きさを演算する演算部と、
前記ウェブページのＵＲＬ並びに前記演算部によって演算された前記指定領域の位置及び大きさ並びに拡大前後の前記指定領域の大きさの比率を表す拡大率を記憶する記憶部と、を有し、
前記表示端末は、前記記憶部に記憶された前記ＵＲＬによって特定される前記ウェブページにアクセスするアクセス部と、
前記記憶部に記憶された前記拡大率及び前記アクセス部によって取得された前記ウェブページの表示データに基づいて、拡大された前記ウェブページを生成し、拡大された前記ウェブページに対応する拡大された前記指定領域の位置及び大きさを演算する拡大部と、
前記拡大部によって演算された、拡大された前記指定領域の位置及び大きさに基づいて拡大された前記指定領域以外の範囲を覆う背景を生成し、前記拡大部によって拡大された前記ウェブページの前面に前記背景を重ねた表示データを生成し、該表示データを前記表示装置に表示出力する表示出力部と、を有するデジタルサイネージシステム。
【請求項２】
請求項１記載のデジタルサイネージシステムにおいて、
前記表示端末が、前記コンテンツ管理サーバに対し、前記コンテンツの表示を開始させるための指令を出力する表示指令出力部を更に有するデジタルサイネージシステム。
【請求項３】
請求項１又は２記載のデジタルサイネージシステムにおいて、
前記表示出力部が、前記記憶部に記憶された前記指定領域の位置及び大きさに基づいて、前記ウェブページの前面に前記背景を重ねてスクロール表示させる表示データを生成し、該表示データを前記表示装置に表示出力するデジタルサイネージシステム。
【請求項４】
表示装置及び該表示装置に表示されるコンテンツを管理するコンテンツ管理サーバに接続される表示処理装置であって、
前記コンテンツ管理サーバから送信されたＵＲＬによって特定されるウェブページにアクセスするアクセス部と、
前記コンテンツ管理サーバから送信された、前記ウェブページの指定された指定領域の位置及び大きさ並びに拡大前後の前記指定領域の大きさの比率を表す拡大率と、前記アクセス部によって取得された前記ウェブページの表示データと、に基づいて、拡大された前記ウェブページを生成し、拡大された前記ウェブページに対応する拡大された前記指定領域の位置及び大きさを演算する拡大部と、
前記拡大部によって演算された、拡大された前記指定領域の位置及び大きさに基づいて拡大された前記指定領域以外の範囲を覆う背景を生成し、前記拡大部によって拡大された前記ウェブページの前面に前記背景を重ねた表示データを生成し、該表示データを前記表示装置に表示出力する表示出力部と、を備えた表示処理装置。
【請求項５】
表示装置及び該表示装置に表示されるコンテンツを管理するコンテンツ管理サーバに接続され、前記コンテンツの表示を処理する表示処理装置の表示データの生成方法であって、
前記コンテンツ管理サーバから送信されたＵＲＬによって特定されるウェブページにアクセスするステップと、
前記コンテンツ管理サーバから送信された、前記ウェブページの指定された指定領域の位置及び大きさ並びに拡大前後の前記指定領域の大きさの比率を表す拡大率と、アクセスした前記ウェブページの表示データと、に基づいて、拡大された前記ウェブページを生成するとともに、拡大された前記ウェブページに対応する拡大された前記指定領域の位置及び大きさを演算するステップと、
拡大された前記指定領域の位置及び大きさに基づいて拡大された前記指定領域以外の範囲を覆う背景を生成するステップと、
拡大された前記ウェブページの前面に前記背景を重ねた表示データを生成するステップと、を含む表示データの生成方法。
【請求項６】
表示装置及び該表示装置に表示されるコンテンツを管理するコンテンツ管理サーバに接続されたコンピュータを、
前記コンテンツ管理サーバから送信されたＵＲＬによって特定されるウェブページにアクセスするアクセス手段、
前記コンテンツ管理サーバから送信された、前記ウェブページの指定された指定領域の位置及び大きさ並びに拡大前後の前記指定領域の大きさの比率を表す拡大率と、前記アクセス手段によって取得された前記ウェブページの表示データと、に基づいて、拡大された前記ウェブページを生成し、拡大された前記ウェブページに対応する拡大された前記指定領域の位置及び大きさを演算する拡大手段、
前記拡大手段によって演算された、拡大された前記指定領域の位置及び大きさに基づいて拡大された前記指定領域以外の範囲を覆う背景を生成し、前記拡大手段によって拡大された前記ウェブページの前面に前記背景を重ねた表示データを生成し、該表示データを前記表示装置に表示出力できる表示出力手段、として機能させるためのプログラム。
【発明の詳細な説明】
【技術分野】
【０００１】
本発明は、デジタルサイネージシステム、表示処理装置、表示データの生成方法、及びプログラムに関する。
【背景技術】
【０００２】
特許文献１には、デジタルサイネージ用に画像の特徴に合わせたコンテンツを自動的に作成するコンテンツ作成装置が記載されている。
このコンテンツ作成装置は、画像から表示装置にて表示されるデジタルサイネージ用のコンテンツを作成するコンテンツ作成装置であって、上記画像の内容が絵図またはドキュメントのいずれであるかを判別する判別手段と、上記判別の結果に応じた処理を上記画像に施して上記コンテンツを作成する作成手段と、を備えている。
【先行技術文献】
【特許文献】
【０００３】
【特許文献１】特開２０１４−１６５７６６号公報
【発明の概要】
【発明が解決しようとする課題】
【０００４】
ここで一般に、コンテンツの作成は簡単であることが好ましい。
本発明は、ウェブページ内の指定した領域からコンテンツを作成できるデジタルサイネージシステム、表示処理装置、表示データの生成方法、及びプログラムを提供することを目的とする。
【課題を解決するための手段】
【０００５】
前記目的に沿う第１の発明に係るデジタルサイネージシステムは、表示装置が接続される表示端末と、前記表示装置に表示されるコンテンツを管理するコンテンツ管理サーバと、を備えたデジタルサイネージシステムであって、
前記コンテンツ管理サーバは、前記コンテンツとなるウェブページの指定された指定領域の位置及び大きさを演算する演算部と、
前記ウェブページのＵＲＬ並びに前記演算部によって演算された前記指定領域の位置及び大きさ並びに拡大前後の前記指定領域の大きさの比率を表す拡大率を記憶する記憶部と、を有し、
前記表示端末は、前記記憶部に記憶された前記ＵＲＬによって特定される前記ウェブページにアクセスするアクセス部と、
前記記憶部に記憶された前記拡大率及び前記アクセス部によって取得された前記ウェブページの表示データに基づいて、拡大された前記ウェブページを生成し、拡大された前記ウェブページに対応する拡大された前記指定領域の位置及び大きさを演算する拡大部と、
前記拡大部によって演算された、拡大された前記指定領域の位置及び大きさに基づいて拡大された前記指定領域以外の範囲を覆う背景を生成し、前記拡大部によって拡大された前記ウェブページの前面に前記背景を重ねた表示データを生成し、該表示データを前記表示装置に表示出力する表示出力部と、を有する。
【０００６】
第１の発明に係るデジタルサイネージシステムにおいて、
前記表示端末が、前記コンテンツ管理サーバに対し、前記コンテンツの表示を開始させるための指令を出力する表示指令出力部を更に有することが好ましい。
【０００７】
第１の発明に係るデジタルサイネージシステムにおいて、
前記表示出力部が、前記記憶部に記憶された前記指定領域の位置及び大きさに基づいて、前記ウェブページの前面に前記背景を重ねてスクロール表示させる表示データを生成し、該表示データを前記表示装置に表示出力してもよい。
【０００８】
【０００９】
【００１０】
前記目的に沿う第２の発明に係る表示処理装置は、表示装置及び該表示装置に表示されるコンテンツを管理するコンテンツ管理サーバに接続される表示処理装置であって、
前記コンテンツ管理サーバから送信されたＵＲＬによって特定されるウェブページにアクセスするアクセス部と、
前記コンテンツ管理サーバから送信された、前記ウェブページの指定された指定領域の位置及び大きさ並びに拡大前後の前記指定領域の大きさの比率を表す拡大率と、前記アクセス部によって取得された前記ウェブページの表示データと、に基づいて、拡大された前記ウェブページを生成し、拡大された前記ウェブページに対応する拡大された前記指定領域の位置及び大きさを演算する拡大部と、
前記拡大部によって演算された、拡大された前記指定領域の位置及び大きさに基づいて拡大された前記指定領域以外の範囲を覆う背景を生成し、前記拡大部によって拡大された前記ウェブページの前面に前記背景を重ねた表示データを生成し、該表示データを前記表示装置に表示出力する表示出力部と、を備える。
【００１１】
前記目的に沿う第３の発明に係る表示データの生成方法は、表示装置及び該表示装置に表示されるコンテンツを管理するコンテンツ管理サーバに接続され、前記コンテンツの表示を処理する表示処理装置の表示データの生成方法であって、
前記コンテンツ管理サーバから送信されたＵＲＬによって特定されるウェブページにアクセスするステップと、
前記コンテンツ管理サーバから送信された、前記ウェブページの指定された指定領域の位置及び大きさ並びに拡大前後の前記指定領域の大きさの比率を表す拡大率と、アクセスした前記ウェブページの表示データと、に基づいて、拡大された前記ウェブページを生成するとともに、拡大された前記ウェブページに対応する拡大された前記指定領域の位置及び大きさを演算するステップと、
拡大された前記指定領域の位置及び大きさに基づいて拡大された前記指定領域以外の範囲を覆う背景を生成するステップと、
拡大された前記ウェブページの前面に前記背景を重ねた表示データを生成するステップと、を含む。
【００１２】
前記目的に沿う第４の発明に係るプログラムは、表示装置及び該表示装置に表示されるコンテンツを管理するコンテンツ管理サーバに接続されたコンピュータを、
前記コンテンツ管理サーバから送信されたＵＲＬによって特定されるウェブページにアクセスするアクセス手段、
前記コンテンツ管理サーバから送信された、前記ウェブページの指定された指定領域の位置及び大きさ並びに拡大前後の前記指定領域の大きさの比率を表す拡大率と、前記アクセス手段によって取得された前記ウェブページの表示データと、に基づいて、拡大された前記ウェブページを生成し、拡大された前記ウェブページに対応する拡大された前記指定領域の位置及び大きさを演算する拡大手段、
前記拡大手段によって演算された、拡大された前記指定領域の位置及び大きさに基づいて拡大された前記指定領域以外の範囲を覆う背景を生成し、前記拡大手段によって拡大された前記ウェブページの前面に前記背景を重ねた表示データを生成し、該表示データを前記表示装置に表示出力できる表示出力手段、として機能させる。
【発明の効果】
【００１３】
本発明によれば、ウェブページ内の指定した領域からコンテンツを作成できるデジタルサイネージシステム、表示処理装置、表示データの生成方法、及びプログラムを提供できる。
【図面の簡単な説明】
【００１４】
【図１】本発明の一実施の形態に係るデジタルサイネージシステムの構成図である。
【図２】同デジタルサイネージシステムの機能ブロック図である。
【図３Ａ】同デジタルサイネージシステムが備えるコンテンツ管理サーバのコンテンツ登録部の説明図である。
【図３Ｂ】同デジタルサイネージシステムが備えるコンテンツ管理サーバの記憶部の説明図である。
【図３Ｃ】同デジタルサイネージシステムが備える表示端末の表示部の説明図である。
【図４】同デジタルサイネージシステムにおける指定領域の設定動作を示すフローチャートである。
【図５】同デジタルサイネージシステムにおける表示動作を示すフローチャート（その１）である。
【図６Ａ】同デジタルサイネージシステムにおける表示動作を示すフローチャート（その２）である。
【図６Ｂ】同デジタルサイネージシステムにおける表示動作を示すフローチャート（その３）である。
【図７】（Ａ）〜（Ｃ）は、同デジタルサイネージシステムによる指定領域の表示動作を示す説明図である。
【図８】（Ａ）、（Ｂ）は、同デジタルサイネージシステムによる指定領域を拡大して表示する動作を示す説明図である。
【図９】同デジタルサイネージシステムによる指定領域をスクロールさせて表示する動作を示す説明図である。
【図１０】（Ａ）〜（Ｃ）は、同デジタルサイネージシステムの指定領域を自動的に最大化して表示する動作を示す説明図である。
【発明を実施するための形態】
【００１５】
続いて、添付した図面を参照しつつ、本発明を具体化した実施の形態につき説明し、本発明の理解に供する。なお、図において、説明に関連しない部分は図示を省略する場合がある。
本発明の一実施の形態に係るデジタルサイネージシステム１０は、ウェブページの任意の領域を、コンテンツとしてディスプレイ（表示装置の一例）に表示できる。デジタルサイネージシステム１０は、図１に示すように、登録端末２０、コンテンツ管理サーバ３０、及びそれぞれディスプレイ６０（図１において不図示）が接続された複数の表示端末４０を備えている。登録端末２０、コンテンツ管理サーバ３０、及び表示端末４０は、インターネット（ネットワークの一例）１２を介して互いに接続されている。
【００１６】
登録端末２０（図２参照）は、ユーザによって操作され、設定画面を表示する操作部２２を介してコンテンツ管理サーバ３０にアクセスできる。登録端末２０は、例えば、ユーザの店舗の本部に設置されたＰＣによって構成される。なお、操作部２２は、登録端末２０が有するハードウェア及び登録端末２０にて実行されるソフトウェアによって実現される。
ユーザは、登録端末２０を使用してコンテンツを作成し、作成したコンテンツをコンテンツ管理サーバ３０に登録するとともに、そのコンテンツを表示するために必要な各種のパラメータを設定できる。コンテンツは、例えば、１）画像、２）動画、３）ユーザが指定したＵＲＬ（参照先ＵＲＬ）によって特定されるウェブサーバ５０のウェブページ及び４）このウェブページのユーザによって指定された領域（以下、「指定領域」という場合がある。）である。
【００１７】
また、ユーザは、登録端末２０を使用してコンテンツのリストであるプレイリスト（番組）を作成し、登録できる。プレイリストによって、所望のコンテンツを表示する順番及び時間を定めたプレイリスト（番組）が設定される。
更に、ユーザは、所望のプレイリストに従ってコンテンツを表示する時刻を定めたスケジュールを作成し、コンテンツ管理サーバ３０に登録できる。
【００１８】
コンテンツ管理サーバ３０は、ディスプレイ６０に表示されるコンテンツを管理できる。コンテンツ管理サーバ３０は、例えば、コンテンツを管理する管理会社に設置されたサーバである。
コンテンツ管理サーバ３０は、コンテンツ登録部３２、記憶部３４、及び表示制御部３６を有している。なお、コンテンツ登録部３２、記憶部３４、及び表示制御部３６は、コンテンツ管理サーバ３０が有するハードウェア及びコンテンツ管理サーバ３０にて実行されるソフトウェアによって実現される。
【００１９】
コンテンツ登録部３２は、図３Ａに示すように、設定部３２２、指定領域演算部３２４、及びアクセス部３２８を有している。
設定部３２２は、登録端末２０の操作部２２を介して操作され、ウェブページのＵＲＬ及び各種のパラメータを記憶部に記憶できる。各種のパラメータには、１）コンテンツを特定するためのＩＤ番号、２）ユーザによって付けられたコンテンツの名称（タイトル）、３）拡大前後の指定領域の大きさの比率を表す拡大率Ｅ１、４）指定領域を縦横比を維持したままディスプレイ６０の表示領域の範囲まで最大化して表示することを示す最大化表示フラグ、及び５）ウェブページをスクロールさせて表示させる際に要する時間であるスクロール時間（スクロール速度に関する情報の一例）が含まれる。各種のパラメータは記憶部３４に記憶される。
【００２０】
指定領域演算部（第１の演算部の一例）３２４は、指定領域の位置及び大きさを演算し、記憶部３４に記憶できる。
アクセス部３２８は、ユーザが登録したＵＲＬによって特定されるウェブサーバ５０（図１参照）のウェブページにアクセスし、ウェブページの表示データを取得できる。
【００２１】
記憶部３４は、例えばＨＤＤ等の記憶媒体である。記憶部３４には、図３Ｂに示すように、コンテンツ記憶領域３４２、プレイリスト記憶領域３４４、及びスケジュール記憶領域３４６が設けられている。
【００２２】
コンテンツ記憶領域３４２には、コンテンツデータ及びコンテンツに関する情報（コンテンツのメタデータ）が記憶される。
記憶されるコンテンツデータには、例えば、１）画像、２）動画、及び３）ユーザが指定したウェブページのＵＲＬが含まれる。
コンテンツに関する情報には、１）ＩＤ番号、２）コンテンツの名称（タイトル）、３）指定領域の拡大率Ｅ１、４）最大化表示フラグ、５）スクロール時間、６）指定領域の位置及び大きさ（指定領域演算部３２４の演算結果）、及び７）ディスプレイ６０の表示領域の大きさが含まれる。
プレイリスト記憶領域３４４には、前述のプレイリストが記憶される。
スケジュール記憶領域３４６には、前述のスケジュールが記憶される。
【００２３】
表示制御部３６（図２参照）は、記憶部３４にアクセスでき、記憶部３４に記憶されたスケジュール及びプレイリストに基づいて、記憶部３４に記憶されたコンテンツデータ及びコンテンツに関する情報を表示端末４０に送信できる。
表示制御部３６は、拡大率演算部（第２の演算部の一例）３６２を有し、記憶部３４に記憶されたディスプレイ６０の表示領域の大きさ、並びに指定領域の位置及び大きさに基づいて、指定領域を縦横比を維持したままディスプレイ６０の表示領域の範囲まで最大化して表示するための拡大率Ｅ２（拡大前後の指定領域の比率）を演算し、表示端末４０に送信できる。
なお、拡大率Ｅ２は、指定領域を縦横比を維持したままディスプレイ６０の表示領域の範囲まで最大化して表示するための比率に限定されるものではなく、指定領域を予め決められたディスプレイ６０の表示領域の範囲（例えば、表示領域の９０％以上１００％未満となる範囲）に収まるように拡大して表示するための比率であってもよい。
【００２４】
表示端末（表示処理装置の一例）４０は、例えば、ユーザの店舗に設置されたＰＣによって構成される。表示端末４０は、ユーザによって操作され、前述の通り、外部にディスプレイ６０（図２参照）が接続される。
表示端末４０は、表示指令出力部４２、表示部４４及びアクセス部４６を有している。なお、表示指令出力部４２、表示部４４及びアクセス部４６は、表示端末４０が有するハードウェア及び表示端末４０にて実行されるソフトウェアによって実現される。
【００２５】
表示指令出力部４２は、コンテンツ管理サーバ３０の表示制御部３６に対し、記憶部３４に記憶されたスケジュール及びプレイリストに基づいて、コンテンツデータ及びコンテンツに関する情報を送信するよう、指令を出力できる。換言すると、この指令は、ディスプレイ６０にコンテンツの表示を開始させるための指令である。
【００２６】
表示部４４は、図３Ｃに示すように、処理部４４６、拡大部４４４、第１〜第４の表示出力部４４８ａ、４４８ｂ、４４８ｃ、４４８ｄ、及びエラー出力部（不図示）を有し、コンテンツの表示に必要な表示データを出力できる。
【００２７】
処理部４４６は、コンテンツ管理サーバ３０の表示制御部３６（図２参照）から受信したコンテンツデータ及びコンテンツに関する情報に基づいて、コンテンツの表示に必要な処理を実行する。
【００２８】
拡大部４４４（図３参照）は、表示制御部３６から受信した拡大率Ｅ１又は拡大率Ｅ２並びにアクセス部４６によって取得されたウェブページの表示データに基づいて、拡大されたウェブページの表示データを生成できる。また、拡大部４４４は、拡大率Ｅ１又は拡大率Ｅ２に基づいて、拡大されたウェブページに対応する、拡大された指定領域の位置及び大きさを演算できる。
【００２９】
第１の表示出力部４４８ａは、ディスプレイ６０の表示領域のうち、アクセス部４６によってアクセスされたウェブページの指定領域以外の範囲を覆う背景を生成し、ウェブページの前面に、生成した背景を重ねたコンテンツＣ１を生成できる。第１の表示出力部４４８ａは、生成したコンテンツＣ１をディスプレイ６０に表示出力できる。
【００３０】
第２の表示出力部４４８ｂは、ディスプレイ６０の表示領域のうち、拡大部４４４によって拡大された指定領域以外の範囲を覆う背景を生成し、生成した背景を拡大部４４４によって拡大されたウェブページの前面に重ねたコンテンツＣ２を生成できる。第２の表示出力部４４８ｂは、生成したコンテンツＣ２をディスプレイ６０に表示出力できる。
【００３１】
第３の表示出力部４４８ｃは、前述のコンテンツＣ１を生成し、生成したコンテンツＣ１をスクロールさせてディスプレイ６０に表示出力できる。スクロールに要する時間は、表示制御部３６から送信されたスクロール時間で定められる。
【００３２】
第４の表示出力部４４８ｄは、前述のコンテンツＣ２を生成し、生成したコンテンツＣ２をスクロールさせてディスプレイ６０に表示出力できる。スクロールに要する時間は、表示制御部３６から送信されたスクロール時間で定められる。
【００３３】
エラー出力部は、エラーメッセージをディスプレイ６０に表示出力できる。
【００３４】
アクセス部４６は、コンテンツ管理サーバ３０の表示制御部３６から受信したＵＲＬによって特定されるウェブページにアクセスし、ウェブページの表示データを取得できる。
【００３５】
次に、デジタルサイネージシステム１０の動作について説明する。
まず、ディスプレイ６０に指定領域を表示させるための設定動作について、図４に基づいて説明する。この設定動作は、実際にコンテンツを表示する前の設定動作として実行される。なお、以下に示す各ステップは、可能な場合は、順番が入れ替わって実行されてもよいし、並行して実行されてもよい。
【００３６】
（ステップＳ１−１）
ユーザが、登録端末２０の操作部２２を介して所望のウェブページのＵＲＬ（参照先ＵＲＬ）をコンテンツ管理サーバ３０に登録する。ＵＲＬは、設定部３２２（図３Ａ参照）により、コンテンツデータとして記憶部３４に記憶される。
登録されたＵＲＬによって特定されるウェブページは、アクセス部３２８を介して読み込まれ、登録端末２０のディスプレイ（不図示）に表示される。
その後、ユーザが、登録したＵＲＬを特定するための名称（コンテンツの名称）等を設定する。コンテンツ（登録したＵＲＬ）には、自動的にＩＤ番号が振られる。
【００３７】
（ステップＳ１−２）
ユーザが、登録端末２０にて、ウェブページの任意の領域の左上の座標を指定する。
【００３８】
（ステップＳ１−３）
ユーザが、登録端末２０にて、ウェブページの任意の領域の右下の座標を指定する。なお、ステップＳ１−２及びステップＳ１−３は、例えば、ユーザがマウスをドラッグすることによって実行される。
ステップＳ１−２及びステップＳ１−３によって、指定領域が指定される。
【００３９】
（ステップＳ１−４）
指定領域演算部３２４が、ステップＳ１−２及びステップＳ１−３にて指定された左上の座標及び右下の座標に基づいて、指定領域の位置及び大きさを演算し、記憶部３４に記憶する。
【００４０】
（ステップＳ１−５）
ユーザが、指定領域の５つの表示方法を設定する。
第１の表示方法は、指定領域をそのままディスプレイ６０の表示領域の中央部に表示する方法である。登録端末２０の設定画面に表示される拡大率Ｅ１の設定値が１００％であった場合に、第１の表示方法が設定される。
【００４１】
第２の表示方法は、指定領域をスクロールさせてディスプレイ６０の左右中央部に表示する方法である。登録端末２０の設定画面に表示されるスクロール時間が設定された場合に、第２の表示方法が設定され、スクロール設定が有効となる。
【００４２】
第３の表示方法は、指定領域をユーザが設定した拡大率Ｅ１で縦横比を維持したままディスプレイ６０の表示領域の中央部に表示する方法である。登録端末２０の設定画面に表示される拡大率Ｅ１の設定値が１００％を超えた場合に、第３の表示方法が設定され、手動拡大率設定が有効となる。
【００４３】
第４の表示方法は、指定領域を縦横比を維持したままディスプレイ６０の表示領域まで最大化して表示する方法である。登録端末２０の設定画面に表示される最大化表示のチェックボックスにチェックが入れられた場合に、最大化表示フラグが立ち、第４の表示方法が設定され、自動最大表示設定が有効となる。
【００４４】
第５の表示方法は、第２〜第４の表示方法を組み合わせた方法である。第５の表示方法は、スクロール設定、手動拡大率設定、及び自動最大表示設定の状態により決定される。例えば、スクロール設定及び手動拡大率設定が有効であり、自動最大表示設定が無効である場合には、指定領域が拡大率Ｅ１で縦横比を維持したまま拡大されるとともにスクロールして表示される。
【００４５】
設定動作は、以上のステップＳ１−１〜Ｓ１−５が実行されることにより完了する。
登録されたＵＲＬ及びコンテンツに関する情報（指定領域の位置及び大きさ、並びに拡大率Ｅ１、スクロール時間、及び最大化表示フラグ等）は互いに関連付けられてコンテンツ記憶領域に保存される。
【００４６】
次に、デジタルサイネージシステム１０による指定領域の表示動作について、図５、図６Ａ及び図６Ｂに基づいて説明する。なお、以下に示す各ステップは、可能な場合には、順番が入れ替わって実行されてもよいし、並行して実行されてもよい。
【００４７】
（ステップＳ２−１）
ユーザが、表示端末４０（図２参照）を用いて画面に表示された「実行ボタン」を押す。表示指令出力部４２から表示を開始するための指令（図２に示すデータＤ１）が表示制御部３６に出力される。
【００４８】
（ステップＳ２−２）
表示制御部３６が、指令を受信すると記憶部３４にアクセスし、スケジュールに従って、プレイリストに挙げられたコンテンツに対応するコンテンツデータ及びコンテンツに関する情報（図２に示すデータＤ２）を読み出す。
【００４９】
（ステップＳ２−３）
表示制御部３６が、読み出した情報（図２に示すデータＤ３）を表示端末４０の表示部４４に送信する。コンテンツが指定領域である場合には、ウェブページのＵＲＬ、コンテンツに関する情報（拡大率Ｅ１、最大化表示フラグ、スクロール時間、指定領域の位置及び大きさ、並びにディスプレイ６０の表示領域の大きさ等）及び拡大率Ｅ２を表示部４４の処理部４４６に送信する。拡大率Ｅ２は、ディスプレイ６０の表示領域の大きさ及び指定領域の大きさに基づいて、表示制御部３６が有する拡大率演算部３６２によって演算される。
処理部４４６は、データＤ３を受信する。
【００５０】
（ステップＳ２−４）
アクセス部４６が、処理部４４６が受信したウェブページのＵＲＬにアクセスし、ウェブサーバ５０により提供されているウェブページの表示データ（図２に示すデータＤ４）を取得する。
【００５１】
（ステップＳ２−５）
処理部４４６が指定領域の大きさとディスプレイ６０の表示領域の大きさとを比較し、指定領域の大きさがディスプレイ６０の表示領域の大きさよりも大きいと判断した場合には、ステップＳ２−６が実行される。
処理部４４６が指定領域の大きさがディスプレイ６０の表示領域の大きさ以下であると判断した場合には、ステップＳ２−７が実行される。
【００５２】
（ステップＳ２−６）
表示部４４が有するエラー出力部（不図示）が、エラーメッセージをディスプレイ６０に出力する。
【００５３】
（ステップＳ２−７）
処理部４４６が最大化表示フラグの状態を判断し、自動最大表示設定（指定領域を縦横比を維持したまま自動的に最大化して表示する第４の表示方法）が無効となっている場合には、図６Ａに示すステップが実行される。
一方、自動最大表示設定が有効となっている場合には、図６Ｂに示すステップが実行される。
【００５４】
図６Ａに示すステップは以下の通りである。
（ステップＳ２−Ａ１）
ステップＳ１−５（図４参照）にて、スクロール設定（指定領域をスクロールさせてディスプレイ６０の左右中央部に表示する第２の表示方法）が無効となっている場合には、ステップＳ２−Ａ２が実行される。
スクロール設定が有効となっている場合には、ステップＳ２−Ａ５が実行される。
【００５５】
（ステップＳ２−Ａ２）
ステップＳ１−５（図４参照）にて、手動拡大率設定（指定領域を拡大率Ｅ１で拡大してディスプレイ６０の中央部に表示する第３の表示方法）が無効となっている場合には、ステップＳ２−Ａ３が実行される。
手動拡大率設定が有効となっている場合には、ステップＳ２−Ａ４が実行される。
【００５６】
（ステップＳ２−Ａ３）
第１の表示出力部４４８ａが、指定領域の位置及び大きさに基づいて、指定領域以外の範囲を覆う背景の表示データを生成する。第１の表示出力部４４８ａは、生成した背景の表示データと、アクセス部４６によって取得されたウェブページの表示データと、に基づいて、ウェブページの前面に背景を重ねた表示データ、すなわち、ディスプレイ６０の表示領域の中央部に指定領域が配置された表示データを生成する。第１の表示出力部４４８ａは、生成した表示データ（図２に示すデータＤ５）を表示出力する。
【００５７】
詳細には、例えば、図７（Ａ）に示すように、ディスプレイ６０の表示領域ＤＡの大きさが横８００，縦６００であり、ウェブページＷＰの大きさが横１０００，縦１５００である場合に、図７（Ｂ）で示す指定領域ＳＡがユーザのマウス操作によって指定されると、指定領域演算部３２４（図３Ａ参照）は、指定領域ＳＡの大きさを横６００，縦４００として演算する。また、指定領域演算部３２４は、ウェブページＷＰの原点Ｏ１（左上の座標）に対する指定領域ＳＡの原点Ｏ２（左上の座標）の位置（横５０、縦１００）を指定領域ＳＡの位置として演算する。
第１の表示出力部４４８ａは、ディスプレイ６０の表示領域ＤＡのうち、指定領域ＳＡ以外の範囲を覆う背景を生成し、指定領域ＳＡが表示領域ＤＡの中央部に配置されるように、ウェブページＷＰの前面に背景を重ねた表示データ（前述のコンテンツＣ１）を生成する。第１の表示出力部４４８ａは、生成した表示データを表示出力する（図７（Ｃ）参照）。
【００５８】
（ステップＳ２−Ａ４）
拡大部４４４（図３Ｃ参照）が、拡大率Ｅ１及びアクセス部４６によって取得されたウェブページの表示データに基づいて、拡大率Ｅ１にて拡大されたウェブページの表示データを生成する。また、拡大部４４４は、拡大されたウェブページに対応する指定領域（拡大された指定領域）の位置及び大きさを演算する。
次に、第２の表示出力部４４８ｂが、拡大された指定領域の位置及び大きさに基づいて、拡大された指定領域以外の範囲を覆う背景の表示データを生成する。第２の表示出力部４４８ｂは、生成した背景の表示データと、拡大部４４４が生成した、拡大されたウェブページの表示データと、に基づいて、ウェブページの前面に背景を重ねた表示データ、すなわち、ディスプレイ６０の表示領域の中央部に拡大された指定領域が配置された表示データを生成する。第２の表示出力部４４８ｂは、生成した表示データ（図２に示すデータＤ５）を表示出力する。
【００５９】
詳細には、例えば、ディスプレイ６０の表示領域ＤＡの大きさが横８００，縦６００であり、ウェブページＷＰの大きさが横１０００，縦１５００である場合に、拡大率Ｅ１の値として１２５％が設定されていると、拡大部４４４は、図８（Ａ）に示すように、拡大率Ｅ１で拡大されたウェブページＷＰｅｘｐ（横１２５０，縦１８７５）の表示データを生成する。また、拡大部４４４は、拡大されたウェブページＷＰｅｘｐに対応する拡大された指定領域ＳＡｅｘｐの大きさ（横７５０，縦５００）を求めるとともに、原点Ｏ２（横５０、縦１００）に対応する原点Ｏ２ｅｘｐ（横６２．５、縦１２５）を求める。
第２の表示出力部４４８ｂは、ディスプレイ６０の表示領域ＤＡのうち、拡大された指定領域ＳＡｅｘｐ以外の範囲を覆う背景を生成し、指定領域ＳＡｅｘｐが表示領域ＤＡの中央部に配置されるように、生成した背景を拡大されたウェブページＷＰｅｘｐに重ねた表示データ（前述のコンテンツＣ２）を生成する。第２の表示出力部４４８ｂは、生成した表示データを表示出力する（図８（Ｂ）参照）。
【００６０】
（ステップＳ２−Ａ５）
ステップＳ１−５（図４参照）にて、手動拡大率設定（指定領域を拡大率Ｅ１で拡大してディスプレイ６０の中央部に表示する第３の表示方法）が無効となっている場合には、ステップＳ２−Ａ６が実行される。
手動拡大率設定が有効となっている場合には、ステップＳ２−Ａ７が実行される。
【００６１】
（ステップＳ２−Ａ６）
第３の表示出力部４４８ｃが、指定領域の位置及び大きさに基づいて、指定領域以外の範囲を覆う背景の表示データを生成する。第３の表示出力部４４８ｃは、生成した背景の表示データと、アクセス部４６によって取得されたウェブページの表示データと、に基づいて、ウェブページの前面に背景を重ねてスクロール表示させる表示データ（ディスプレイ６０の表示領域の中央部に指定領域をスクロール表示させる表示データ）を生成する。
第３の表示出力部４４８ｃが、この表示データ（図２に示すデータＤ５）をディスプレイ６０に表示出力すると、ディスプレイ６０には、指定領域がスクロール時間に基づいて決定されたスクロール速度にてスクロール表示される。
詳細には、例えば、ディスプレイ６０の表示領域ＤＡの大きさが横８００，縦６００であり、指定領域ＳＡの大きさが横６００，縦１２００である場合に、スクロール時間が設定されていると、第３の表示出力部４４８ｃは、図９に示すように、指定領域ＳＡが表示領域ＤＡの左右中央部に配置されるように、ウェブページＷＰに背景を重ねてスクロール表示させる表示データを生成する。ディスプレイ６０には、設定されたスクロール時間で全体を表示するように、指定領域がスクロール表示される。
【００６２】
（ステップＳ２−Ａ７）
拡大部４４４（図３Ｃ参照）が、拡大率Ｅ１及びアクセス部４６によって取得されたウェブページの表示データに基づいて、拡大率Ｅ１にて拡大されたウェブページの表示データを生成する。また、拡大部４４４は、拡大されたウェブページに対応する指定領域の位置及び大きさを演算する。
第４の表示出力部４４８ｄが、拡大された指定領域の位置及び大きさに基づいて、拡大された指定領域以外の範囲を覆う背景を生成する。第４の表示出力部４４８ｄは、生成した背景の表示データと、拡大部４４４が生成した、拡大されたウェブページの表示データと、に基づいて、拡大されたウェブページの前面に背景を重ねてスクロール表示させる表示データ、すなわち、ディスプレイ６０の表示領域の中央部に拡大された指定領域をスクロール表示させる表示データを生成する。第４の表示出力部４４８ｄがこの表示データ（図２に示すデータＤ５）をディスプレイ６０に表示出力すると、ディスプレイ６０には、拡大率Ｅ１にて拡大された指定領域がスクロール時間に基づいて決定されたスクロール速度にてスクロール表示される。
【００６３】
図６Ｂに示すステップは以下の通りである。同ステップは、指定領域を縦横比を維持したまま、ディスプレイ６０の表示領域まで最大化して表示する方法（自動最大表示設定）を実現するための処理である。
（ステップＳ２−Ｂ１）
ステップＳ１−５（図４参照）にて、スクロール設定（指定領域をスクロールさせてディスプレイ６０の左右中央部に表示する第２の表示方法）が無効となっている場合には、ステップＳ２−Ｂ２が実行される。
スクロール設定が有効となっている場合には、ステップＳ２−Ｂ３が実行される。
【００６４】
（ステップＳ２−Ｂ２）
第２の表示出力部４４８ｂが、図１０（Ａ）又は図１０（Ｂ）に示すように、拡大率Ｅ２に基づいて拡大された指定領域ＳＡｅｘｐを表示出力する。具体的な動作については、拡大率が異なることを除いてステップＳ２−Ａ４（図６Ａ参照）と実質的に同一であるので省略する。
【００６５】
（ステップＳ２−Ｂ３）
第４の表示出力部４４８ｄが、図１０（Ｃ）に示すように、拡大率Ｅ２に基づいて拡大された指定領域ＳＡｅｘｐをスクロールさせて表示させる表示データを表示出力する。具体的な動作については、拡大率が異なることを除いてステップＳ２−Ａ７（図６Ａ参照）と実質的に同一であるので省略する。
【００６６】
このように、デジタルサイネージシステム１０は、ウェブサーバ５０が提供するウェブページにアクセスし、指定領域としてウェブページの指定された領域を表示するので、最新の内容がディスプレイ６０に表示される。
また、デジタルサイネージシステム１０によれば、アクセス部４６がウェブページを読み込み、読み込んだ表示データを使用して拡大表示を行うので、表示品質の劣化が抑えられる。
【００６７】
以上、本発明の実施の形態を説明したが、本発明は、上記した形態に限定されるものでなく、要旨を逸脱しない条件の変更等は全て本発明の適用範囲である。
【００６８】
前述の実施の形態においては、登録端末及び表示端末は、それぞれ異なる端末であったが、登録端末と表示端末の機能は同一の端末で実現されてもよい。
表示端末は、スマートフォンやタブレット端末等のモバイルデバイスであってもよい。
【００６９】
スクロール速度に関する情報は、スクロール速度を決定するパラメータであれば任意でよく、例えば、スクロール速度や、予め決められた基準となるスクロール速度に対する比率であってもよい。すなわち、スクロール速度に関する情報は、ウェブページをスクロールさせて表示させる際のスクロール速度に関する情報であれば任意でよい。
【００７０】
コンテンツに関する情報に含まれるディスプレイの表示領域の大きさは、登録端末ではなく、表示端末を介して設定されてもよい。また、ディスプレイの表示領域の大きさは、
表示端末に記憶されてもよい。
【符号の説明】
【００７１】
１０  デジタルサイネージシステム
１２  インターネット
２０  登録端末
２２  操作部
３０  コンテンツ管理サーバ
３２  コンテンツ登録部
３４  記憶部
３６  表示制御部
４０  表示端末
４２  表示指令出力部
４４  表示部
４６  アクセス部
５０  ウェブサーバ
６０  ディスプレイ
３２２  設定部
３２４  指定領域演算部
３２８  アクセス部
３４２  コンテンツ記憶領域
３４４  プレイリスト記憶領域
３４６  スケジュール記憶領域
３６２  拡大率演算部
４４４  拡大部
４４６  処理部
４４８ａ  第１の表示出力部
４４８ｂ  第２の表示出力部
４４８ｃ  第３の表示出力部
４４８ｄ  第４の表示出力部
ＤＡ  表示領域
Ｏ１  原点
Ｏ２  原点
ＳＡ  指定領域
ＳＡｅｘｐ  拡大された指定領域
ＷＰ  ウェブページ
ＷＰｅｘｐ  拡大されたウェブページ
【要約】
【課題】ウェブページ内の指定した領域からコンテンツを作成できるデジタルサイネージシステム、表示処理装置、表示データの生成方法、及びプログラムを提供する。
【解決手段】デジタルサイネージシステム１０は、表示端末４０を備え、表示端末４０は、コンテンツ管理サーバ３０の記憶部３４に記憶されたＵＲＬによって特定されるウェブページにアクセスするアクセス部４６と、記憶部３４に記憶された指定領域の位置及び大きさに基づいて、アクセス部４６によってアクセスされたウェブページの指定領域以外の範囲を覆う背景を生成し、ウェブページの前面に該背景を重ねた表示データを生成し、この表示データを表示装置６０に表示出力できる第１の表示出力部４４８ａと、を有する。
【選択図】図２【図１】
0005798264.tif 000002
【図２】
0005798264.tif 000003
【図３Ａ】
0005798264.tif 000004
【図３Ｂ】
0005798264.tif 000005
【図３Ｃ】
0005798264.tif 000006
【図４】
0005798264.tif 000007
【図５】
0005798264.tif 000008
【図６Ａ】
0005798264.tif 000009
【図６Ｂ】
0005798264.tif 000010
【図７】
0005798264.tif 000011
【図８】
0005798264.tif 000012
【図９】
0005798264.tif 000013
【図１０】
0005798264.tif 000014